【事件の表示】
　平成　６年特許願第　３１１９１号「ディスク装置」拒絶査定に対する審判事件［平成　７年　９月１９日出願公開、特開平　７−２４４８６３］について、次のとおり審決する。
【結　論】
　本件審判の請求は、成り立たない。
【理　由】
１．手続の経緯の概要、本願発明
　
　本願は、平成６年３月１日の特許出願であって、その請求項１に係る発明は、平成１４年８月８日付けで手続補正が提出された明細書及び図面の記載からみて、その特許請求の範囲の請求項１に記載された、次のとおりのものであると認める（以下、「本願発明」という）。
　
「【請求項１】　ピット領域とグルーブ領域を有するディスクに対し、ピット領域に対してはトラッキングサーボ系をピットモードに切り替えて信号読み取りを行い、グルーブ領域に対してはトラッキングサーボ系をグルーブモードに切り替えて信号読み取りを行うようにしたディスク装置において、
　光ピックアップから出力するＲＦ信号作成用の２つの信号を加算する加算手段と、
　加算器出力のＤＣ成分レベルを検出するＤＣレベル検出手段と、
　ＤＣレベル検出手段で検出されたＤＣ成分レベルを所定の基準レベルと比較して、光ピックアップの読み取り位置がピット領域とグルーブ領域のいずれか判別する判別手段と、
　判別手段での判別結果に基づきトラッキングエラー信号の極性をピットモードあるいはグルーブモードの極性に切り替える極性切り替え制御手段と、
　サーボ外れを検出するサーボ外れ検出手段と、
　サーボ外れが検出された時、および演奏中に電源オフ後再度電源がオンになった時、読み取り位置がピット領域とグルーブ領域のいずれであるかを判断し、判別結果に基づきトラッキングエラー信号の極性切り替えを行ない、かつ、ピックアップの読み取り位置がサーボ外れ直前のアドレス位置あるいは電源オフ直前のアドレス位置と一致するようにピックアップの移動制御を行なう制御部、
　を備えたことを特徴とするディスク装置。」
　
２．引用例
（１）第１引用例
　これに対し、原査定の拒絶の理由１で引用された、本願出願前に頒布された刊行物である、特開平４−２６５５２０号公報（以下、「第１引用例」という）には、図面とともに次の技術事項が記載されている。
　
（ａ）
「【０００３】最近では、同一のディスク上に、再生専用領域（ＲＯＭ領域）と書き替え可能領域を有するディスク（以下、パーシャルＲＯＭディスクと称する）が提案されている。即ち、ディスクの内周部領域に、現行のコンパクトディスクと同様、ピットによるＲＯＭ領域を配し、外周部領域に光磁気効果を利用した書き替え領域を配するというものである。
【０００４】
【発明が解決しようとする課題】このようなパーシャルＲＯＭディスクにおいては、各々の領域で信号の検出方式などが相違するため、各領域に応じて種々の切り替えを行う必要がある。これに対し、ディスク最内周部のリードイン領域に、各領域の分岐点のアドレスをあらかじめ記録しておき、再生に先だってこのアドレスをディスクから読み出してＲＡＭに記憶し、再生時に読み出されるアドレスがこのアドレスを越える直前に再生系の切り替えを行うようにする方法が考えられる。しかしながらこの方法は、ディスクをはじめから普通に再生している場合には問題ないが、高速アクセス時など、トラックジャンプをした場合には、ジャンプ後の再生位置が再生可能領域内であると、アドレス情報の読み出しができなくなるので、この場合には領域の判別をできなくなる。
【０００５】そこで本発明は、このようなディスクにおいて、ヘッドがどちらの記録領域にあるかを常に判別できるような光記録再生装置を提案しようとするものである。」
（２頁左欄第２０行〜４５行）
　
（ｂ）
「【０００８】
【実施例】以下、本発明の実施例につき、図面を用いて説明する。図３に、実施例にかかるパーシャルＲＯＭディスクを示す。ディスクには、内周部から、リードイン領域、ＲＯＭ領域、記録領域、リードアウト領域が順番に配されている。ＲＯＭ領域には現行のコンパクトディスクと同様、ピット列によって螺旋状の記録トラックが形成されている。記録領域には光磁気記録の形態により情報の記録が可能であり、あらかじめ螺旋状のグルーブ（溝）が形成されている。情報は、グルーブ上に磁化の方向をもって垂直磁気記録される。」（第２頁右欄第９行〜１９行）
　
（ｃ）
「【００１３】第１のセンサ１１は、回折格子２によって分割されたビームの内、０次回折光を受光する４分割センサと、２つの１次回折光を受光する２つのセンサとよりなる。４分割センサの各出力を加工してディスク上のビームの焦点ずれを示す信号（フォーカスエラー信号）を形成する。また、１次回折光を受光する２つのセンサからの出力の差成分によって、ビームのトラックずれを示す信号（トラッキングエラー信号）を形成する。
【００１４】更に、４分割センサの各センサ出力のアンドを取って形成された信号が、増幅器１３，１４の一方の入力端子に印加される。第２のセンサ１２は、回折格子２によって分割されたビームの内、０次回折光のみを受光する１つのセンサのみによって構成されており、このセンサからの信号が、増幅器１３，１４の他方の入力端子に印加される。」
（３頁左欄第６行〜２０行）
　
（ｄ）
「【００１８】このように、かかる光学系においては、光ヘッドがＲＯＭ領域を走査している場合には、増幅器１３からの信号が読みだし信号となり、また、記録領域を走査している場合には、増幅器１４からの信号が読み出し信号となる。従って、かかるディスクを再生する場合には、光ヘッドがどちらの領域を再生しているのかを判別し、いずれか一方の増幅器からの信号を読み出し信号として選択する必要がある。」（第３頁左欄第４２行〜４９行）
　
（ｅ）
「【００２１】従って、本実施例のように、３ビーム法によってトラッキングエラー信号を作成する場合には、ビームがトラックに対して同一方向にずれていても、作成されたトラッキングエラー信号は、ＲＯＭ領域と記録領域ではその極性が反転しているため、いずれか一方の領域におけるトラッキングエラー信号の極性を反転させて、トラッキングエラー信号の極性を合わせるようにする必要がある。従って、図２に示す記録再生系においては、上述した読み出し信号の切り替えとともにトラッキングエラー信号の極性の切り替えを、再生中の領域がいずれの領域であるのかを判別することに応じ、制御する必要がある。」
（３頁右欄第３５行〜４６行）
　
（ｆ）
「【００２３】判別回路５００は、ハイパスフィルタ５０１、整流回路５０２、積分回路５０３及び比較回路５０４からなる。ハイパスフィルタ５０１には、上記図２の増幅器１３からの出力信号（ＲＯＭ信号）をヘッドアンプ２００によって増幅した信号が印加されている。上述した如く、かかる信号は、光ヘッドがＲＯＭ領域を走査している場合には、記録情報に応じた高周波の信号となる。一方、記録領域を走査している場合には、トラッキングエラー信号に応じた低周波の信号となる。ハイパスフィルタ５０１は、これら両信号のうち、前者のみを通過するように設定する。従って、整流回路５０２には、光ヘッドがＲＯＭ領域を走査しているときにだけ高周波信号が伝達される。
【００２４】かかる信号は、整流回路５０２及び積分回路５０３によって直流レベルの信号に変換される。比較回路５０４は、この信号が設定値レベルＶｃを越えていることを検出したとき判別信号を出力する。切り替え回路６００は、かかる判別信号が出力されているとき、ＲＯＭ信号再生回路３００からの信号を選択し、また、判別信号が出力されていないとき、光磁気信号再生回路からの信号を選択する。さらに、制御回路７００は、かかる判別信号の有無に応じてトラッキングエラー信号の極性を反転する。
【００２５】以上、本発明の実施例について説明したが、本発明は掛かる実施例に限定されるものではなく、他に、種々の限定が可能であることはいうまでもない。例えば上記実施例では、増幅器１３からの信号に応じて再生されている領域の判別を行ったが、これに替えて、増幅器１４からの信号に応じて領域の判別を行うようにしてもよい。本実施例では、ビームがトラックを正しく走査していることを前提として、光センサ１１、１２の光電変換率が同一であれば、光ヘッドがＲＯＭ領域を再生している場合には、各センサからの出力が相殺されて０になる。この場合には、増幅器１４からは、トラッキングエラーに応じた低周波の信号が出力される。従って、掛かる増幅器１４からの信号を、上記判別回路５００と同様の回路に印加すれば、かかる判別回路からは、光ヘッドが記録領域を走査しているときに判別信号が出力される。かかる信号を利用して、切り替え回路６００及び制御回路７００の制御を行う。但し、この場合、判別信号の発生は、上記実施例とは異なり、記録領域を光ヘッドが走査しているときに起こることに注意する必要がある。」
（４頁左欄第１１行〜同頁右欄第１９行）
　
　また、図２を参照すると、増幅器１３は第１のセンサ１１からの出力と、第２のセンサ１２からの出力を入力して加算し、その出力がＲＯＭ信号となるものである。
　
　上記記載事項及び図面の記載を総合勘案すると、上記第１引用例には、結局、次の発明が記載されている。
　
「現行のコンパクトディスクと同様、ピット列によって螺旋状の記録トラックが形成されているＲＯＭ領域と、光磁気記録の形態により情報の記録が可能であり、あらかじめ螺旋状のグルーブ（溝）が形成されている記録領域を有するディスクに、ＲＯＭ領域と記録領域で、読み出し信号の切り替えとともにトラッキングエラー信号の極性の切り替えを、再生中の領域がいずれの領域であるのかを判別することに応じ、制御する光記録再生装置であって、
　第１のセンサ１１の４分割センサの各センサ出力のアンドを取って形成された信号が、増幅器１３，１４の一方の入力端子に印加され、第２のセンサ１２からの信号が、増幅器１３，１４の他方の入力端子に印加され、
　光ヘッドがＲＯＭ領域を走査している場合には、増幅器１３からの信号が読み出し信号となり、また、記録領域を走査している場合には、増幅器１４からの信号が読み出し信号となり、
　増幅器１３からの出力信号（ＲＯＭ信号）を、直流レベルの信号に変換する整流回路５０２及び積分回路５０３と、この信号を設定値レベルＶｃと比較する比較回路５０４とからなり、信号が設定値レベルＶｃを越えていることを検出したとき判別信号を出力する判別回路５００と、
　かかる判別信号の出力の有無でＲＯＭ信号再生回路３００からの信号、または光磁気信号再生回路からの信号を選択する切り替え回路６００と、
　かかる判別信号の有無に応じてトラッキングエラー信号の極性を反転する制御回路７００と、
を備えた光記録再生装置。」
　
（２）第２引用例
　同じく、原査定の拒絶の理由１で引用された、本願出願前に頒布された刊行物である、特開平１−２１７７３２号公報（以下、「第２引用例」という）には、図面とともに次の技術事項が記載されている。
　
「第５図は、プリフォーマット検出回路を示した図で、第６図はその各部の信号を示した図である。
　第５図において、まず、ＲＦ１信号１３−ａとＲＦ２信号１３−ｂは加算アンプ１４−ａにより加算される。前述のように光磁気信号３２と３３は逆相であるから、光磁気信号は互いにうち消し合いプリフォーマット信号だけが残る（その信号を第６図の１５−ａに示す）。
　次にコンパレータ１４−ｂにより、ノイズレベルと１５−ａの信号のピークレベルのほぼ半分のレベルで２値化される（第６図の１５−ｂ）。」
（３頁右上欄第１５行〜同頁左下欄第５行）
　
（３）第３引用例
　同じく、原査定の拒絶の理由１で引用された、本願出願前に頒布された刊行物である、特開昭６１−２９６５３３号公報（以下、「第３引用例」という）には、図面とともに次の技術事項が記載されている。
　
「第５図（Ａ）は前記実施例と同様にＲＦ信号を入力するプレフォーマット検出回路の他の実施例を示す回路構成図であり同（Ｂ）はその動作説明図である。７４１は絶対値検出回路で所謂全波整流作用をなすものである。バンドパスフィルタ７３１を介した出力信号７３２は絶対値化され出力７４２を生じ、ローパスフィルタ７４３を介した信号７４４を比較器７４５に入力する。比較器７４５は基準電圧７４６と比較しその出力７４７をプレフォーマット部に対応して生じるものである。」（５頁左上欄第２行〜１２行）
　
（４）第４引用例
　同じく、原査定の拒絶の理由１で引用された、本願出願前に頒布された刊行物である、特開平５−６２２１７号公報（以下、「第４引用例」という）には、図面とともに次の技術事項が記載されている。
　
「【０００５】このために、外部からの衝撃、ディスクの振動、および情報トラックの過度の歪みなどにより、光ビームの位置ずれが１トラック間隔の「±１／４」を超えると容易にトラッキングがはずれ、光ビームがトラック横方向に移動するいわゆる暴走が発生する危険があった。一旦、トラッキングがはずれるとトラッキングエラ信号が正弦波状のためにトラック中心からはずれた位置では光ビームのずれる動きを加速する制御信号が発生されるので、はずれは自然に復帰することはなく、放置すれば重大な障害を生じる恐れがある。このような危険を避けるために、従来のトラッキング制御ではトラッキングエラ信号が一定のレベルを超えたことを検出すると、トラッキングはずれと判断し、トラッキング制御動作を一旦停止して（オフ）して光ビームの暴走を防止し、光ヘッドを所定の位置に戻して再度トラック引込動作を行う方式が使われていた。
【０００６】従来例技術として、特開昭６３−２６３８２７号公報、特開昭６３−２９１２２３号公報、特願平１−１１２３９号に開示された技術がある。」（２頁右欄第１６行〜第３４行）
　
（５）第５引用例
　また、原査定の拒絶の理由１で周知例として示された、本願出願前に頒布された刊行物である、特開平５−３２５４４５号公報（以下、「第５引用例」という）には、図面とともに次の技術事項が記載されている。
　
「【００１４】図３において、ディスク５にはアドレス情報を含むプログラム情報が記録されており、この記録情報はピックアップ２１５によって読み取られる。ピックアップ２１５で読み取られた情報は復調回路２１８を経てアドレス判定回路２１９においてアドレス情報が検出され、ピックアップ２１５の現在位置が判定される。そして最新のアドレス情報はホストマイコン２００内のアドレスメモリ２１２に格納される。２２０はピックアップ２１５の出力に基づいて当該ピックアップが合焦状態にあるか否かを常時監視するフォーカス検出回路であり、フォーカス外れのとき出力を発生する。ホストマイコン２００はフォーカス検出回路２２０の出力が発生されると、ピックアップ２１５をホームポジション（演奏開始前の静止位置）に戻すべくピックアップ移動機構２１６を駆動制御すると共に、該ホームポジションにて再びフォーカスをとるように制御する。そして再度フォーカスをとった後は、アドレスメモリ２１２に格納されているフォーカス外れ直前のアドレスから再び演奏を開始するように、ピックアップ２１５を上記直前のアドレスまで移動させる。
【００１５】演奏中に、自動車のアクセサリースイッチ２０７のオフによりシステムの主電源が断となると、電源断検出回路２２１がこれを検出して出力を発生する。この検出出力の発生によりアドレスメモリ２１２に格納されている最新のアドレス情報がバックアップメモリ２１３に書き込まれる。そして再度主電源が供給されたときバックアップメモリ２１３に書き込まれたアドレスから演奏が開始される。」
（３頁右欄第３５行〜４頁左欄第１２行）
　
（６）第６引用例
　同じく、原査定の拒絶の理由１で周知例として示された、本願出願前に頒布された刊行物である、特開平５−３６１９２号公報（以下、「第６引用例」という）には、図面とともに次の技術事項が記載されている。
　
「【０００７】図１は本発明の第１の実施例の構成ブロック図である。光ディスク１から再生された信号から、音楽再生部３が音楽信号を再生し、スピーカ５から音響信号として空中に放音する。また、位置情報読み出し手段４は光ディスクに記録されたサブコード情報のなかの局番情報とタイムコードを読み出し、不揮発メモリ７に書き込む。この書き込み動作は常に行っても良いし、動作停止の直前に一度だけ行っても良い。再度動作を開始する時、不揮発メモリ７から局番情報及びタイムコードを読み出して、それに対応してピックアップ２の位置をトラッキング制御部６が移動させ、前回の再生場所の続きから再生動作を開始する。」
（２頁右欄第３４行〜４５行）
　
（７）第７引用例
　同じく、原査定の拒絶の理由１で周知例として示された、本願出願前に頒布された刊行物である、特開平４−３３９３８５号公報（以下、「第７引用例」という）には、図面とともに次の技術事項が記載されている。
  　
「【００４５】図６において、電源再投入後、（１）でまずリードインデータを読取り、（２）〜（５）でラストタイム情報（Ａ0 の内容）がリセットされているか、あるいは有効な時間情報でないと判断すると（10）以後の処理でディスク１曲目から演奏することになり、一方（２）〜（５）でラストタイム情報が有効と判断すればＡ0 のラストタイム情報をＡQ なるアドレスを持ったレジスタに退避させ（ＡQは不揮発性でなくてもよい）、（８）でシーケンシャルプレイスイッチの状態を見る。ここでシーケンシャルプレイスイッチがＯＮ（シーケンシャルプレイ実行命令）であれば（12）でタイマをリセット，スタートさせＡ0 の示す再生位置を探索して演奏させ、逆にシーケンシャルスイッチがＯＦＦ（非実行命令）であれば、（10）を経てディスクの１曲目からの演奏を始める。ここでフラグＳはシーケンシャルプレイスイッチの状態を示しＳ＝０で同スイッチＯＦＦ、Ｓ＝１で同スイッチＯＮである。」
（６頁左欄第４２行〜同頁右欄第９行）
　
３．対　比
　本願発明と第１引用例に記載された発明とを対比する。
　第１引用例に記載された発明における「ピット列によって螺旋状の記録トラックが形成されているＲＯＭ領域と、光磁気記録の形態により情報の記録が可能であり、あらかじめ螺旋状のグルーブ（溝）が形成されている記録領域を有するディスク」は、本願発明における「ピット領域とグルーブ領域を有するディスク」に相当する。
　第１引用例に記載された発明において「ＲＯＭ領域と記録領域で、読み出し信号の切り替えとともにトラッキングエラー信号の極性の切り替えを、再生中の領域がいずれの領域であるのかを判別することに応じ、制御する」とすることは、本願発明において「ピット領域に対してはトラッキングサーボ系をピットモードに切り替えて信号読み取りを行い、グルーブ領域に対してはトラッキングサーボ系をグルーブモードに切り替えて信号読み取りを行う」ことに相当する。
　第１引用例に記載された発明における「増幅器１３」は、「第１のセンサ１１の４分割センサの各センサ出力のアンドを取って形成された信号が一方の入力端子に印加され、第２のセンサ１２からの信号が、他方の入力端子に印加されて、両信号が加算されるものであり、光ヘッドがＲＯＭ領域を走査している場合には、その出力信号が読み出し信号（ＲＯＭ信号）となる」なるものであるから、本願発明における「光ピックアップから出力するＲＦ信号作成用の２つの信号を加算する加算手段」に相当する。
　第１引用例に記載された発明における「比較回路５０４」は、「増幅器１３からの出力信号（ＲＯＭ信号）」を検出するものである点及び「この信号を設定値レベルＶｃと比較する」ものである点に限り、本願発明における「ＤＣレベル検出手段」に相当する。
　第１引用例に記載された発明における「信号が設定値レベルＶｃを越えていることを検出したとき判別信号を出力する判別回路５００」 は、本願発明における「ＤＣレベル検出手段で検出されたＤＣ成分レベルを所定の基準レベルと比較して、光ピックアップの読み取り位置がピット領域とグルーブ領域のいずれか判別する判別手段」に相当する。
　第１引用例に記載された発明における「判別信号の有無に応じてトラッキングエラー信号の極性を反転する制御回路７００」 は、本願発明における「判別手段での判別結果に基づきトラッキングエラー信号の極性をピットモードあるいはグルーブモードの極性に切り替える極性切り替え制御手段」に相当する。
　第１引用例に記載された発明における「光記録再生装置」 は、本願発明における「ディスク装置」に相当する。
　
　そうすると、本願発明と第１引用例に記載された発明とは次の点で一致する。
　一致点
「ピット領域とグルーブ領域を有するディスクに対し、ピット領域に対してはトラッキングサーボ系をピットモードに切り替えて信号読み取りを行い、グルーブ領域に対してはトラッキングサーボ系をグルーブモードに切り替えて信号読み取りを行うようにしたディスク装置において、
　光ピックアップから出力するＲＦ信号作成用の２つの信号を加算する加算手段と、
　加算器出力を検出するＤＣレベル検出手段と、
　ＤＣレベル検出手段で検出されたＤＣ成分レベルを所定の基準レベルと比較して、光ピックアップの読み取り位置がピット領域とグルーブ領域のいずれか判別する判別手段と、
　判別手段での判別結果に基づきトラッキングエラー信号の極性をピットモードあるいはグルーブモードの極性に切り替える極性切り替え制御手段と、
　を備えたことを特徴とするディスク装置。」
　
　一方、次の点で相違する。
　相違点
（相違点１）
本願発明においては、「ＤＣレベル検出手段」は、「加算器出力のＤＣ成分レベルを検出する」ものであるのに対して、第１引用例に記載された「比較回路５０４」は、増幅器１３からの出力信号を、整流回路５０２及び積分回路５０３とにより直流レベルの信号に変換したものを設定値レベルＶｃと比較している点。
（相違点２）
　本願発明においては、
「サーボ外れを検出するサーボ外れ検出手段と、
サーボ外れが検出された時、および演奏中に電源オフ後再度電源がオンになった時、読み取り位置がピット領域とグルーブ領域のいずれであるかを判断し、判別結果に基づきトラッキングエラー信号の極性切り替えを行ない、かつ、ピックアップの読み取り位置がサーボ外れ直前のアドレス位置あるいは電源オフ直前のアドレス位置と一致するようにピックアップの移動制御を行なう制御部」
を備えているのに対し、第１引用例に記載された発明には、この点について開示がない点。
　
４．判　断
　そこで、上記相違点について検討する。
（相違点１について）
　本願発明において、「ＤＣ成分」の意義が明確に定義されておらず、また検出手段についても具体的な構成について特定されていないところ、ピット領域とグルーブ領域とで現れる信号が異なることはこの分野の常識にすぎないから、原審の拒絶理由で引用した第２引用例及び第３引用例、及び特開平５−１２８５３７号公報（加算器１６の出力をレベル検出回路２０で所定のレベルＥrefと比較して、判別回路２１が判定することが記載されている）等の周知例を考慮することで相違点１の構成とすることは当業者が容易に想到しうるものである。
（相違点２について）
（ａ）「サーボ外れを検出するサーボ外れ検出手段と、サーボ外れが検出された時、ピックアップの読み取り位置がサーボ外れ直前のアドレス位置と一致するようにピックアップの移動制御を行なう制御部」を備えることは、第４，第５引用例に示されている。また、
（ｂ）「演奏中に電源オフ後再度電源がオンになった時、ピックアップの読み取り位置が電源オフ直前のアドレス位置と一致するようにピックアップの移動制御を行なう制御部」を備えることは第５乃至第７引用例に、ぞれぞれ示されているように、ディスク装置においては、周知の制御手段にすぎない。特に、第５引用例には、上記（ａ）及び（ｂ）が併せて記載されている。
　サーボ外れや電源のオフは、ディスク装置に共通して起こりうる事態であることは当業者にとって常識であるから、第４乃至第７引用例に示した周知事項を第１引用例に記載された発明に適用することは当業者が容易に想到しうることである。
　さらに、第１引用例には、
　「ディスクをはじめから普通に再生している場合には問題ないが、高速アクセス時など、トラックジャンプをした場合には、ジャンプ後の再生位置が再生可能領域内であると、アドレス情報の読み出しができなくなるので、この場合には領域の判別をできなくなる。」（記載事項（ａ）第４段落）、
「そこで本発明は、このようなディスクにおいて、ヘッドがどちらの記録領域にあるかを常に判別できるような光記録再生装置を提案しようとするものである。」（記載事項（ａ）第５段落）
という課題を解決しようとすることが記載されているから、「高速アクセス時など、トラックジャンプをした場合」と同様にヘッドがどちらの領域にあるかわからなくなる事態が予想されるサーボ外れや電源オフが発生した場合には、まず、ヘッドがどちらの領域にあるかを判断するために、「読み取り位置がピット領域とグルーブ領域のいずれであるかを判断し、判別結果に基づきトラッキングエラー信号の極性切り替えを行なう」こととし、その後に「ピックアップの読み取り位置がサーボ外れ直前のアドレス位置あるいは電源オフ直前のアドレス位置と一致するように」制御することは、第１引用例に記載された発明が解決しようとする課題から容易に導き出されることにすぎない。
　すると、第１引用例に記載された発明において、第４引用例乃至第７引用例に例示する周知事項を適用するにあたって、読み取り位置がピット領域とグルーブ領域のいずれであるかを判断し、判別結果に基づきトラッキングエラー信号の極性切り替えを行なうことで、相違点２のようにすることは当業者が容易に想到しうるものである。
　
５．むすび
　以上のとおりであって、本願の請求項１に係る発明は、第１引用例に記載された発明及び第２引用例乃至第７引用例に例示する周知事項に基づいて当業者が容易に発明をすることができたものであるから、特許法第２９条第２項の規定により特許を受けることができない。
　
　よって、結論のとおり審決する。